(57)【要約】  本発明は、内燃機関（１）と電気モータ（６）とを備えた車両の駆動系を制御する方法であって、それによって内燃機関の駆動軸（４）を電気モータ（６）を用いて加速させることが可能である。アップシフトの発生及び／又はアップシフト工程の開始において、駆動軸（４）のアイドリング回転数を電気モータ（６）によって増加させることが可能である。ターボ過給機が充填圧力を増加させるために設けられる場合、電気モータは、アイドリング回転数を増加させることで、低回転速度のターボ過給機の低効率を補うことが可能である。
2007533517.tif 000002
【特許請求の範囲】
【請求項１】
内燃機関（１）と電動機（６）とを備え、前記電動機（６）を用いて前記内燃機関の駆動軸（４）を加速させることが可能である、車両の駆動系を制御する方法であって、
アップシフトの最中及び／又はアップシフトが開始された時に、前記駆動軸（４）のアイドリング回転数が前記電動機（６）によって増加されることを特徴とする方法。
【請求項２】
前記電動機（６）は、前記内燃機関（１）をベルト（７）を用いて駆動することを特徴とする請求項１に記載の方法。
【請求項３】
ターボ過給機が充填圧力を増加させるのに使用され、前記アイドリング回転数の増加が低回転速度の前記ターボ過給機の低効率を補償することを特徴とする請求項１あるいは２に記載の方法。
【発明の詳細な説明】
【技術分野】
【０００１】
本発明は、内燃機関と電動機とを備えた車両の駆動系を制御する方法に関し、該方法では、電動機を用いて内燃機関の駆動軸を加速することが可能である。
【背景技術】
【０００２】
車両の内燃機関用のスタータジェネレータは、特許文献１に記載されており、始動装置及び発電機の機能を果たす三相電動機（ｅｌｅｃｔｒｉｃ  ｔｈｒｅｅ  ｐｈａｓｅ  ｍａｃｈｉｎｅ）を含む。これに加えて、電動機は、内燃機関又は少なくとも１つの被動輪を制動することで、特に車両を加速又は制動するために及び／又は滑り防止制御の点で被動輪の滑りを防ぐために、駆動軸の加速及び／又は制動を生み出し又は支援する。電動機は、補償のために迅速に交互に切り替わる逆相トルクを生成するので、駆動軸の回転の不均一性を軽減するのに使用されることも可能である。
【０００３】
自動車分野における低容量の内燃機関の場合、削減された行程容積の結果起こるトルクの減少は、しばしば圧力充填を用いて、特にターボ過給機を用いて補われる。ターボ過給機の場合、タービンは排気流が増加するにつれより速く回転する。これにより、充填圧力、すなわち内燃機関の燃焼空間内へ強制的に空気を送り込む圧力、の増大をもたらす。しかし、エンジン回転数が低く部分負荷の状態では、排気の間隔が長く排気流が低速なので、ターボ過給機の効果は限られる。これは、特に低行程容積の内燃機関では、貧弱な発進性能を招く（所謂「ターボラグ」と呼ばれる）。可変タービン形状の使用は、高排気温度及び幾何級数的燃焼（ｇｅｏｍｅｔｒｉｃ  ｃｏｍｂｕｓｔｉｏｎ）を伴う火花点火式エンジンの場合、実施が困難であり、発進トルクの僅かな増大をもたらすに過ぎない。電動アシスト圧力充填機構又は電動アシストターボ過給機を有する解決策は、技術的に大変複雑である。
【０００４】
特に自動化されたクラッチ機構について、かなりの無駄時間が発生しており、これは車両が発進する際及びクラッチが係合可能になるまでのシフト期間中の低回転速度におけるターボ過給機の低効率が原因である。このような状況において、一般的習慣として、エンジン回転数を監視しかつ回転数が一定の限界値を超えた時にのみクラッチの係合完了を許可する、制御装置、特にエンジン及び／又は変速機制御装置が設けられ、このような方法で、クラッチ係合後の内燃機関の所謂「エンスト」は発生不可能となる、と想定される。内燃機関のエンストを防止するため、クラッチは通常、内燃機関回転数が十分高くなるまでは半クラッチで運転される。
【０００５】
【特許文献１】欧州特許第０  ８７６  ５５４Ｂ１号明細書
【発明の開示】
【発明が解決しようとする課題】
【０００６】
本発明の目的は、特に低回転速度域で、短時間でクラッチの係合をもたらす車両の駆動系の制御方法を提供することである。
【課題を解決するための手段】
【０００７】
目的は請求項１の特徴を有する方法を用いて達成される。
【０００８】
本発明による方法は、アップシフトが開始された時又はアップシフトの最中に、駆動軸のアイドリング回転数が電動機によって増加されることを特徴とする。
【０００９】
既に車両に設けられており、特に停止／発進操作用に使用されることが可能なスタータジェネレータ又はモータジェネレータは、好ましくは電動機として使用される。電動機は、このために設けられたベルトを用いて駆動軸を駆動することができる。しかし、電動機は、駆動軸の上に直接配置されるようにすることも可能である（所謂、一体型配置）。三相電動機、特に同期電動機、非同期電動機、又はリラクタンス電動機が好適に使用される。
【００１０】
電動機による駆動軸の加速支援により、内燃機関が「エンスト」することなく、クラッチはより早く係合可能であり、これは、追加加速のおかげで、駆動軸回転速度がより早い時点で、冒頭で述べたクラッチを係合するための、限界駆動軸回転速度を超えるからである。従って、制御装置がクラッチの半クラッチでの操作を保持する必要時間は、電動機によるアイドリング回転数の増加のない運転の場合よりも短時間である。クラッチの係合は、これに応じてより早い時点で許可されることが可能となる。
【００１１】
従って、発進時及びシフト中のクラッチ係合時間は、手動操作及び自動化の両方のクラッチ機構及びシフト機構で、有利に短縮化されることが可能である。その結果として、より速くより快適な発進及びシフト動作が得られることが可能である。
【００１２】
本発明による方法は、冒頭で述べたように、低回転速度におけるターボ過給機構の低効率が原因の、所謂「ターボラグ」を補償するのに有利に使用されることが可能である。しかし、本発明による方法は、比較的高回転速度において使用されることも可能である。
【００１３】
本発明のさらなる有利な実施形態は、従属項及び、図面に基づいて下記に述べる例示的な実施形態に開示される。
【発明を実施するための最良の形態】
【００１４】
図１は、内燃機関１及び電動機６を備えた車両の駆動系を示している。駆動軸又はクランクシャフト４は内燃機関１に割り当てられ、クラッチ３によって変速機２の伝動軸５へ接続されることが可能である。電動機６は好ましくは、これ以上詳細には示さないが、エンジンハウジング上に配置され、ベルト７を用いて内燃機関１の駆動軸４を駆動可能である。このように、電動機６は、内燃機関１に加えて、駆動軸４も回転させることが可能であり、駆動軸４の加速及び／又は制動を行う。電動機６には、好ましくは電気エネルギーが供給され、パワーエレクトロニクスユニット（図示せず）によって制御され、さらに電力変換器又は電力逆変換器と、図示されない制御装置とを備えている。制御装置は独立した制御装置であることも可能である。しかし、制御装置は、既に存在する駆動系制御装置内、例えばエンジン制御装置及び／又は変速機制御装置内に、内蔵されるようにすることも可能である。
【００１５】
クラッチ３がシフトのために解放される場合、駆動軸４の（アイドリング）回転数が十分な値に到達するまでは再び係合されないことが好ましいので、クラッチ３が係合した後、駆動軸４は、内燃機関が「エンスト」する可能性のある値まで制動をかけられることはない。別の制御装置（図示せず）は通常、クラッチ３の係合後に内燃機関の「エンスト」が不可能なほど駆動軸４の回転速度が十分に高い値に到達するまで、クラッチ３の半クラッチでの操作を確保する。この別の制御装置は、独立した制御装置とすることも可能である。しかし、別の制御装置は、既に存在する駆動系制御装置、例えばエンジン制御装置、及び／又は変速機制御装置、及び／又は電動機を制御する制御装置、に内蔵されるようにすることも可能である。
【００１６】
本発明による方法では、駆動軸４のアイドリング回転速度は、アップシフトが開始された時又はアップシフトの最中に、クラッチ３の係合時に内燃機関１の「エンスト」を防ぐ値まで電動機６を用いて増加される。
【００１７】
本発明による方法を用いて、アイドリング回転速度は増加されることが可能であり、従って、特に低回転速度では低効率で、よってこの回転速度範囲における回転速度／トルクの増加にはわずかしか貢献できないターボ過給機（図示せず）が充填圧力を増加させるのに使用される場合、低回転速度のターボ過給機の低効率を補償することが可能である。
【００１８】
例として、図２は、電動機による加速支援の有無により発生する、駆動軸回転速度及び車両速度の時間に対する特性曲線を示している。時間は横軸に表示されている。回転速度は左縦軸に表示され、車両速度は右縦軸に表示されている。特性曲線ｆ１及びｆ２は、回転速度の特性曲線であり、回転速度特性ｆ１は電動機による加速支援を伴って生成され、回転速度特性ｆ２は電動機による加速支援無しに生成されている。
【００１９】
特性曲線ｆ３及びｆ４は車両速度の特性曲線であり、車両速度特性ｆ３は電動機による加速支援を伴って生成され、車両速度特性ｆ４は電動機による加速支援無しに生成されている。ブレーキペダルは０秒で解放される。スロットル全開は時点ｔ１に当たる。電動機が駆動支援のために使用される場合、この電気的支援は時点ｔ１から先に対して有効になる。
【００２０】
時点ｔ１まで、回転速度特性ｆ１及びｆ２は同様のほぼ一定の動向をしている。しかし、電動機による駆動支援の使用の影響を受ける回転速度特性ｆ１は時点ｔ１で既に上昇する一方で、回転速度特性ｆ２の上昇はこれから約０．０８秒後まで発生しない。
【００２１】
電動機による駆動支援を備えた車両は、相応して時点ｔ２（車両速度特性ｆ３参照）で発進し、一方で電動機による駆動支援の無い車両は時点ｔ３（車両速度特性ｆ３参照）まで発進せず、ここでｔ２はｔ３より小さい値である。車両速度特性ｆ３及びｆ４によると、電動機による駆動支援を備えた車両は、電動機による駆動支援の無い車両より早い時点で高速に到達する。
【図面の簡単な説明】
【００２２】
【図１】駆動系の概略図（一定の縮尺ではない）を示す。
【図２】電動機による加速支援の有無による、車両関連変数の時間についての特性の例示的グラフを示す。
【図１】
2007533517.tif 000003
【図２】
2007533517.tif 000004
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
内燃機関（１）と電動機（６）とを備え、前記電動機（６）を用いて前記内燃機関の駆動軸（４）を加速させることが可能である、車両の駆動系を制御する方法であって、
車両の発進時に、前記内燃機関（１）の駆動軸（４）のアイドリング回転数が前記電動機（６）によって増加されることを特徴とする方法。
【請求項２】
前記電動機（６）は、前記内燃機関（１）をベルト（７）を用いて駆動することを特徴とする請求項１に記載の方法。
【請求項３】
ターボ過給機が充填圧力を増加させるのに使用され、前記アイドリング回転数の増加が低回転速度の前記ターボ過給機の低効率を補償することを特徴とする請求項１あるいは２に記載の方法。
【国際調査報告】
2007533517.tif 000005
2007533517.tif 000006
2007533517.tif 000007
2007533517.tif 000008